(57)【要約】【課題】  高画質または低画質の画像を容易に探し出せるデジタルカメラを提供する。【解決手段】  デジタルカメラ１は、手振れ量を検出する手振れ検出手段１１と、複数のフォルダを設けることができ、前記フォルダの中に撮影した画像を記録する記録手段２３と、画像を撮影したときに手振れ検出手段１１が検出した手振れ量に応じて前記フォルダのいずれかを選択して画像を記録させる記録制御手段２２とを備える。【選択図】図５
2006180329.tif 000002
【特許請求の範囲】
【請求項１】
手振れ量を検出する手振れ検出手段と、
複数のフォルダを設けることができ、前記フォルダの中に撮影した画像を記録する記録手段と、
画像を撮影したときに前記手振れ検出手段が検出した手振れ量に応じて前記フォルダのいずれかを選択して画像を記録させる記録制御手段とを備えることを特徴とするデジタルカメラ。
【請求項２】
前記記録制御手段は、前記手振れ検出手段が検出した手振れ量を少なくとも１つの閾値と比較して、前記手振れ量の区分に対応する前記フォルダを選択することを特徴とする請求項１に記載のデジタルカメラ。
【請求項３】
前記閾値を変更する閾値変更手段を有することを特徴とする請求項２に記載のデジタルカメラ。
【請求項４】
特定の前記フォルダ内の画像を一括して削除する一括削除手段を備えることを特徴とする請求項１から３のいずれかに記載のデジタルカメラ。
【請求項５】
前記一括削除手段は、手振れ量が大きい画像を記録した前記フォルダ内の画像を一括して削除することを特徴とする請求項４に記載のデジタルカメラ。
【請求項６】
特定の前記フォルダ内の画像だけを再生表示する限定再生表示手段を有することを特徴とする請求項１から５のいずれかに記載のデジタルカメラ。
【請求項７】
前記限定再生表示手段は、手振れ量が小さい画像を記録したフォルダ内の画像だけを再生表示することを特徴とする請求項６に記載のデジタルカメラ。
【発明の詳細な説明】
【技術分野】
【０００１】
本発明はデジタルカメラに関する。
【背景技術】
【０００２】
従来のデジタルカメラでは、Ｅｘｉｆ規格などに準拠して、撮影画像をメモリカードなどの記録媒体にディレクトリ（フォルダ）に分類して記録するものが多い。Ｅｘｉｆ規格によれば、記録媒体のルートディレクトリに”ＩＭ”で始まる８文字以内のＡＳＣＩＩ英数文字からなる重複しない名称のフォルダを設けて、そのフォルダ内に撮影画像を記録することになっている。フォルダ名には、カメラの機種名や撮影した日付を特定できる名称を付ける場合が多く、通常、同じカメラで同じ日に撮影した画像を同じフォルダの中に記録する。こうして同じフォルダに記録された画像は、続けて再生表示したり、まとめて他の記録媒体にコピーすることが容易である。
【０００３】
また、従来のデジタルカメラは、本体の振れを検出して撮影画像の振れを補正する手振れ補正機能を有するものが多い。それらの手振れ補正機能によって手振れによる撮影の失敗を減らすことはできるが、手振れ補正機能には限界があり、手振れによる画質の劣化を完全に防止することはできない。このため、従来のデジタルカメラでは、記録媒体の１つのフォルダの中に、手振れのない画像と手振れのある画像とが混在することになる。結局、ユーザは、フォルダ内の撮影画像を１つずつ再生表示して確認しなければ、画像の品質を確認することができない。特に、記録媒体の空き容量が少なくなったときは、記録した画像を１枚ずつ確認して不要な画像を削除しなければならず、非常に手間がかかるという問題がある。
【発明の開示】
【発明が解決しようとする課題】
【０００４】
前記問題点に鑑みて、本発明は、高画質または低画質の画像を容易に探し出せるデジタルカメラを提供することを課題とする。
【課題を解決するための手段】
【０００５】
前記課題を解決するために、本発明によるデジタルカメラは、手振れ量を検出する手振れ検出手段と、複数のフォルダを設けることができ、前記フォルダの中に撮影した画像を記録する記録手段と、画像を撮影したときに前記手振れ検出手段が検出した手振れ量に応じて前記フォルダのいずれかを選択して画像を記録させる記録制御手段とを備えるものとする。
【０００６】
この構成によれば、手振れ量に応じて撮影画像を複数のフォルダに分類して記録するので、ユーザは、手振れ量が大きく低画質の画像または手振れ量が小さく高画質の画像を容易に探し出すことができる。
【０００７】
本発明のデジタルカメラにおいて、前記記録制御手段は、前記手振れ検出手段が検出した手振れ量を少なくとも１つの閾値と比較して、前記手振れ量の区分に対応する前記フォルダを選択してもよい。
【０００８】
この構成によれば、閾値による簡単な区分によってフォルダを選択するので、処理が簡単である。
【０００９】
本発明のデジタルカメラにおいて、前記閾値を変更する閾値変更手段を有してもよい。
【００１０】
この構成によれば、ユーザが撮影画像に求める画質によって記録するフォルダの選択基準を変更できるので、ユーザは、求める品質の画像を容易に探し出せる。
【００１１】
本発明のデジタルカメラは、特定の前記フォルダ内の画像を一括して削除する一括削除手段を備えてもよく、該一括削除手段は、手振れ量が大きい画像を記録した前記フォルダ内の画像を一括して削除してもよい。
【００１２】
この構成によれば、手振れ量が大きく画質が低いと予想される画像をまとめて消去できる。このため、記録手段の空き容量が小さくなったときに、撮影画像を１つずつ確認することなく、短時間で利用価値の低い低画質の画像をまとめて消去して記録手段の空き容量を確保できる。
【００１３】
本発明のデジタルカメラは、特定の前記フォルダ内の画像だけを再生表示する限定再生表示手段を有してもよく、該限定再生表示手段は、手振れ量が小さい画像を記録したフォルダ内の画像だけを再生表示してもよい。
【００１４】
この構成によれば、手振れ量の小さい画像を順に再生して、最も利用価値の高い画像を短時間で探し出すことができたり、手振れ量の大きい画像を順に再生して、最も利用価値の低い画像を短時間で探し出して消去したりできる。
【発明の効果】
【００１５】
以上のように、本発明のデジタルカメラは、撮影画像を手振れ量に応じてフォルダに分類して記録するので、ユーザは、一定の画質を有する画像を簡単に探し出すことができる。
【発明を実施するための最良の形態】
【００１６】
これより、本発明の実施形態について、図面を参照しながら説明する。
図１および図２は、本発明の一実施形態であるデジタルカメラの正面および背面を示す。図１に示すように、デジタルカメラ１は、本体２と、本体２の前面に取り付けられた交換可能なレンズユニット３とからなっている。本体２の上部には、レリーズ釦４、モード設定ダイアル５および制御値設定ダイアル６が設けられ、本体２の前面には、オートフォーカス（ＡＦ）補助光ユニット７、レンズユニット着脱釦８およびオートフォーカスモード設定スイッチ９が設けられ、本体２の側面には、メモリカード装填部１０が設けられている。さらに、本体２の内部には、デジタルカメラ１の手振れ量を検出する手振れ検出センサ１１が設けられている。また、図２に示すように、本体２の上部にはフラッシュ装着部１３、背面には電子ビューファインダ（ＥＶＦ）１４、変更ダイアル１５、液晶パネルからなる表示装置（ＬＣＤ）１６、４つの設定釦１７、ジョグダイアル１８および手振れ補正設定釦１９が設けられている。
【００１７】
また、図３に、デジタルカメラ１の構成要素を簡略化して示す。レンズユニット３の内部には、移動可能なレンズ２０が設けられ、レンズ２０は、レンズ制御部２１によって位置が定められる。本体２には、ＣＰＵからなる制御部２２が設けられ、メモリカード装填部１０内にメモリカードからなる記録装置２３が収納され、レンズユニット３の軸上にＣＣＤからなる撮像素子２４を有する基板２５が設けられている。制御部２２は、手振れ検出センサ１１が検出した手振れ量を相殺するように撮像素子２４を移動させる手振れ補正を行うことができる。
【００１８】
続いて、図４に、デジタルカメラ１の構成要素をさらに詳細に示す。レンズユニット３のレンズ制御部２１は、２つのレンズ２０を駆動するモータＭ１と、モータＭ１を制御するフォーカス制御部２６と、レンズ２０の位置を検出するレンズ位置検出部２７とからなっている。本体２に設けた位相差オートフォーカスモジュール２８は、オートフォーカス補助光ユニット７の発した光によって被写体までの距離を測定して制御部２２に伝達する。制御部２２は、位相差オートフォーカスモジュール２８が測定した距離に焦点が合う位置にレンズ２０を移動させるようにフォーカス制御部２６に信号を送出する。レンズ位置検出部２７がレンズ２０の位置を検出して制御部２２にフィードバックするので、制御部２２はレンズ２０を正確に位置決めできる。
【００１９】
レンズユニット３を通して本体２に入射した光は、ミラー制御部２９に制御されたモータＭ２によって駆動されるミラー機構３０およびシャッタ制御部３１に制御されたモータＭ３によって駆動されるシャッタ３２を通過して、撮像素子３３に結像する。撮像素子３３は結像した画像を電気信号に変換して出力し、信号処理回路３４は撮像素子３３が出力した信号を処理し、Ａ／Ｄ変換回路３５は信号処理回路３４が処理した信号をディジタル信号に変換する。撮像素子３３、信号処理回路３４およびＡ／Ｄ変換回路３５の動作は、タイミング回路３６によって同期させられている。ディジタルに変換された信号は画像データとして画像処理ＩＣ３７に送られる。画像処理ＩＣ３７は、画像処理制御回路３８と、それぞれ画像処理制御回路３８によって制御される黒レベル補正回路３９、ホワイトバランス（ＷＢ）回路４０およびγ補正回路４１とからなる特定用途用ＩＣである。Ａ／Ｄ変換回路３５から出力された画像信号は、黒レベル補正回路３９、ホワイトバランス回路４０、γ補正回路４１によって逐次補正処理が施されて最適化される。画像処理ＩＣ３７で最適化された画像データは画像メモリ４２に一時記憶され、画像処理制御回路３８を介して制御部２２に送られる。
【００２０】
デジタルカメラ１の手振れ検出センサ１１は、手振れ量を検出するジャイロ４３と、ジャイロ４３の出力を電気信号に変換する処理回路４４と、制御部２２からの指示を受けて処理回路４４の信号を取り出す検出制御装置４５および、処理回路４４から取り出した手振れ量のデータを一時記憶する手振れ量メモリ４６とからなっている。
【００２１】
また、デジタルカメラ１は、フラッシュ回路４７を有し、本体２上部のフラッシュ装着部１３に機械的および電気的に装着したフラッシュ４８を発光させることができる。操作部４９は、前記レリーズ釦４、モード設定ダイアル５、制御値設定ダイアル６、オートフォーカスモード設定スイッチ９、変更ダイアル１５、設定釦１７、ジョグダイアル１８および手振れ補正設定釦１９を表しており、操作部４９を介してユーザからの指示を受けた制御部２２は、フラッシュ回路４７、シャッタ３２およびタイミング回路３４を連携するタイミングで動作させて、フラッシュ４８が被写体に投光した状態で撮影して画像データを生成させる。また、デジタルカメラ１は、電子ビューファインダ１４にライブビュー表示をするためのＶＲＡＭ５０、液晶表示装置１６に画像表示させるためのＶＲＡＭ５１、メモリカード２３を制御部２２と電気的に接続するカードインターフェイス５２および通信用インターフェイス５３を有している。
【００２２】
制御部２２は、画像処理ＩＣ３７の画像処理制御回路３８を介して画像メモリ４２から画像データを読み出して、電子ビューファインダ１４や液晶表示装置１６に画像を表示させたり、メモリカード（記録装置）２３に記録するようになっている。
【００２３】
続いて、デジタルカメラ１の特徴である撮像画像の記録方法について説明する。
図５は、デジタルカメラ１で、撮影をしたときの、メモリカード２３に記録されたデータの例を示す。メモリカード２３のルートディレクトリには、複数の撮影画像を記録するフォルダが作成されており、各フォルダ名は、最初の２文字がＥｘｉｆ規格のディレクトリ構造であることを示す”ＩＭ”になっている。”ＩＭ”に続く文字列は、手振れ量、撮影した日付、撮影者または撮影場所を示している。フォルダ名の”ＢＥＳＴ”は手振れ量が非常に小さいことを示し、”ＧＯＯＤ”は手振れ量が小さく、”ＢＡＤ”は手振れ量が中位であり、”ＷＯＲＳＴ”は手振れ量が大きいことを示している。
【００２４】
また、”ＩＭ”に続く６桁の数字は、撮影した日付を”ＹＹＭＭＤＤ”で表している。そして、”ＩＭ”の後に”Ｐ”と２桁の数字が続くファイル名は、撮影場所を示している。例えば”Ｐ０１”から”Ｐ０８”までの８つの文字列は、それぞれユーザが登録した８つの撮影場所に対応している。同様に、”ＩＭ”の後に”Ｎ”と２桁の数字が続くファイル名は、ユーザが登録した撮影者名に対応している。デジタルカメラ１は、ユーザに撮影場所と撮影者名を登録する手段提供し、ファイル名中の文字列と撮影場所または撮影者名との対応は、メモリカード２３に設定ファイルとして記録される。
【００２５】
撮影した各画像データは、”ＰＩＣＴ”の後に４桁の連続番号を有する８文字のファイル名が付けられ、前記フォルダのいずれかの中に記録されるが、撮影途中でユーザがデータを削除した場合には欠番が生じる。各画像データは、拡張子”ＪＰＧ”が示すように、ＪＰＥＧ形式で圧縮して記録されている。
【００２６】
デジタルカメラ１で撮影を行う場合、制御部２２は、レリーズ釦４などの操作部４９からの入力に応じて手振れ検出センサ１１で手振れ量を検出し、撮像素子３３上の結像から画像データを生成して画像メモリ４２に一時記憶させる。制御部２２は、検出制御装置４５および画像処理制御回路３８から、手振れ量メモリ４６に一時記憶した手振れ量と画像メモリ４２に一時記憶した画像データを受信する。
【００２７】
デジタルカメラ１が手振れ量によるフォルダ分けを行うように設定されているとき、制御部２２は、受信した手振れ量からメモリカード２３に設けたいずれかのフォルダを選択して、受信した画像データを選択したフォルダ内に記録する記録制御手段として機能する。制御部２２には、３つの手振れ量の閾値が設定されており、３つの閾値を小さい方から順にｂ１，ｂ２，ｂ３とし、検出制御装置４５から受信した手振れ量をｂとすると、
ｂ＜ｂ１のときは、画像データをメモリカード２３に設けたフォルダ「ＩＭＢＥＳＴ」内に記録し、
ｂ１≦ｂ＜ｂ２のときは、画像データをメモリカード２３に設けたフォルダ「ＩＭＧＯＯＤ」内に記録し、
ｂ２≦ｂ＜ｂ３のときは、画像データをメモリカード２３に設けたフォルダ「ＩＭＢＡＤ」内に記録し、
ｂ３≦ｂのときは、画像データをメモリカード２３に設けたフォルダ「ＩＭＷＯＲＳＴ内に記録する。
【００２８】
これにより、ユーザは、フォルダ「ＩＭＷＯＲＳＴ」内の画像データのみを確認すれば、手振れ量が大きく、最も利用価値が低い画像を容易に探し出して消去することができる。また、ユーザは、手振れ量が小さく、より利用価値が高い画像を容易に探し出すこともできる。
【００２９】
４つのフォルダは、撮影モードに切り換えたときや、最初の影像を撮影したときに１度に作成してもよいし、各フォルダ内に記録すべき画像データが初めて生成されたときに１つずつ作成してもよい。勿論、フォルダ名やファイル名は、いかなる規則に基づいて作成してもかまわない。
【００３０】
続いて、デジタルカメラ１の詳細な操作について説明する。ユーザが所定の設定釦１７を押すと、表示装置１６には、先ず、図６に示す設定画面が表示される。設定可能な機能メニューは、「基本」、「応用１」および「応用２」の３つのタブで表された３つのメニューページに分類されており、ジョグダイアル１８の左右釦操作によって目的の機能メニューが分類されているタブを選択することでメニューページを切り換えることができる。図示するように、選択されたメニューページのタブは反転表示され、さらにジョグダイアル１８の上下釦操作によって表示されているメニューページ内の機能メニューを選択することができる。デジタルカメラ１では、メモリカード２３に作成されるフォルダおよび、画像データの振り分け方法を設定する「保存先フォルダ設定」メニューが「応用１」に分類されており、図７は「保存先フォルダ設定」メニューが選択されたことを示している。この状態でジョグダイアル１８の中央釦を押すことで、図８に示すように、保存先フォルダの変更可能な設定項目が表示される。
【００３１】
ここで、「日付別」を選択すると、撮影した日付を示すフォルダ「ＩＭ”ＹＹＭＭＤＤ”」内に撮影画像が記録され、「場所別」を選択すると、ユーザが撮影場所を設定して、対応するフォルダ「ＩＭＰ”００”（”００”は２桁の数字）」内に撮影画像が記録され、「撮影者別」を選択すると、ユーザが撮影者名を設定して、対応するフォルダ「ＩＭＮ”００”（”００”は２桁の数字）」内に撮影画像が記録される。
【００３２】
図８で「手振れ量別」メニューを選択すると、図９に示すように、表示装置１６にブレ量（手振れ量）によるフォルダ分類の有無を選択するメニューが表示される。図示するように、手振れ補正機能をＯＮしているか否かによって異なる設定が可能である。ブレ量によるフォルダ分類を「する」を選択すると、図１０に示すブレ量の閾値を調節する設定画面が表示される。この画面では、３つの閾値ｂ１，ｂ２，ｂ３にそれぞれ対応する「ブレ量小」、「ブレ量中」または「ブレ量大」のいずれかを選択することで、各閾値ｂ１，ｂ２，ｂ３を個別に変更できる（閾値変更手段）。また、閾値を変更しない場合は「変更しない」を選択すればよい。
【００３３】
図１１に示すように、図９の「手振れオン時」のタブを選択してブレ量によるフォルダ分類を「する」を選択すると、図１２に示す設定画面が表示される。手振れ補正機能を有効にする場合、閾値ｂ１は、手振れ補正の下限値の設定と同じ値になる。デジタルカメラ１において、ブレ量が極めて小さいときに手振れ補正をすると、手振れ補正装置の遅れなどによって画質の劣化を招くおそれがある。このため、画像データの記録フォルダを決定する手振れ量の最も小さい閾値ｂ１を手振れ補正を停止させるか否かを決定する閾値としても使用することを意味する。
【００３４】
次に、図１３に、デジタルカメラ１において、ユーザが画像消去のために設定釦１７を押した場合の表示装置１６の表示を示す。図示するように、デジタルカメラ１は、メモリカードに記録している撮影画像を、１枚ずつまたはすべて一括で削除できるだけでなく、特定のフォルダ内の画像データを一括して削除する一括削除手段を有している。図１３において「フォルダ別削除」を選択すると、図１４に示すように、消去するフォルダを選択することができ、「手振れ量別」を選択すると、図１５に示すように、一括して消去する画像のブレ量を選択できる。ここで、「ブレ量大」はフォルダ「ＩＭＷＯＲＳＴ」、「ブレ量中」はフォルダ「ＩＭＢＡＤ」、「ブレ量小」はフォルダ「ＩＭＧＯＯＤ」内に記録されているデータを一括して消去することを示す。ブレ量が最も小さいデータを一括して消去するとは考え難くいため、誤ってデータを消去しないように、図１５において、フォルダ「ＩＭＢＥＳＴ」を選択することはできないようになっている。
【００３５】
このように、デジタルカメラ１は、手振れ量が同じ範囲にある画像を一括して削除できるので、撮影途中にメモリカード２３の空き容量がなくなってしまった場合、手振れ量が大きな画像を一括して削除することで空き容量を確保して撮影を続けることができる。
【００３６】
また、デジタルカメラ１は、フォルダ「ＩＭＢＥＳＴ」内の画像データを表示装置１６に順番に再生表示することができるようになっている（限定再生表示手段）。ユーザは、撮影の失敗に備えて複数の画像を撮影する場合が多い、またデジタルカメラを使用する撮影においては、その場で撮影画像を再生表示して構図などの失敗がなく思い通りに撮影できたかどうかを確認して、さらに画像を撮影するか否かを判断することが日常的に行われている。このような撮影途中の確認において、本発明のデジタルカメラ１は、小さな表示装置１６では確認しにくい手振れが大きい画像を最初から再生表示しないので、ユーザは、構図が適切で且つ手振れのない画像が撮影できたか否かを確認することができる。
【００３７】
また、デジタルカメラ１において、フォルダ「ＩＭＷＯＲＳＴ」内の画像データを表示装置１６に順番に再生表示すれば、ユーザは、最も利用価値の低い画像を短時間に探し出して消去することができ、撮影画像の放棄を必要最小限度に留めることもできる。
【００３８】
本発明は、説明した実施形態のフォルダ名やファイル構造に限定されるものではなく、日付別のフォルダの中にさらに手振れ量別のフォルダを設けるなど、さらに多層の階層構造にしてもよい。また、複数の情報が特定できるフォルダ名を付けてもよい。例えば、ロングファイルネームを使用して「０４１１２３ＢＥＳＴＮ０１Ｐ０１」のようなフォルダ名を付ければ、フォルダ名から日付、手振れ量、撮影者名および撮影場所の４つの情報を特定できる。ファイル名についても、本発明は何ら制限を課すものではない。
【図面の簡単な説明】
【００３９】
【図１】本発明の実施形態のデジタルカメラの正面図。
【図２】図１のデジタルカメラの背面図。
【図３】図１のデジタルカメラの構成を示すブロック図。
【図４】図３をさらに詳細に示すブロック図。
【図５】図１のデジタルカメラメモリカードのデータ構造を例示する図
【図６】図１のデジタルカメラの機能設定画面の例を示す図。
【図７】図１のデジタルカメラの機能設定画面の異なる例を示す図。
【図８】図１のデジタルカメラの機能設定画面の異なる例を示す図。
【図９】図１のデジタルカメラの機能設定画面の異なる例を示す図。
【図１０】図１のデジタルカメラの機能設定画面の異なる例を示す図。
【図１１】図１のデジタルカメラの機能設定画面の異なる例を示す図。
【図１２】図１のデジタルカメラの機能設定画面の異なる例を示す図。
【図１３】図１のデジタルカメラの機能設定画面の異なる例を示す図。
【図１４】図１のデジタルカメラの機能設定画面の異なる例を示す図。
【図１５】図１のデジタルカメラの機能設定画面の異なる例を示す図。
【符号の説明】
【００４０】
１  デジタルカメラ
１１  手振れ検出センサ（手振れ検出手段）
２２  制御部（記録制御手段）
２３  メモリカード（記録手段）
【図１】
2006180329.tif 000003
【図２】
2006180329.tif 000004
【図３】
2006180329.tif 000005
【図４】
2006180329.tif 000006
【図５】
2006180329.tif 000007
【図６】
2006180329.tif 000008
【図７】
2006180329.tif 000009
【図８】
2006180329.tif 000010
【図９】
2006180329.tif 000011
【図１０】
2006180329.tif 000012
【図１１】
2006180329.tif 000013
【図１２】
2006180329.tif 000014
【図１３】
2006180329.tif 000015
【図１４】
2006180329.tif 000016
【図１５】
2006180329.tif 000017